(57)【要約】【課題】フィルム詰まりを容易に解消すべく、カートリッジホルダを着脱可能としたカートリッジ装填機構を提供することを課題とする。【解決手段】本発明は、写真フィルム用のカートリッジが装填され、装填された状態でカートリッジ内のフィルムの搬送処理が行われるカートリッジホルダ１１１を備えたカートリッジ装填機構であって、カートリッジホルダ１１１が、カートリッジを装填した状態で着脱可能であるように、ホルダ本体１１２と取付部材１１３とを用いて構成されており、ホルダ本体１１２が、カートリッジを装填し得る形状を有し、取付部材１１３が、フィルムの搬送処理が行われる搬送部近傍のホルダ取付部５１に着脱可能であるように構成されている。【選択図】  図８
2004264490.tif 000002
【特許請求の範囲】
【請求項１】
写真フィルム用のカートリッジが装填され、装填された状態で前記カートリッジ内のフィルムの搬送処理が行われるカートリッジホルダを備えたカートリッジ装填機構であって、
前記カートリッジホルダが、前記カートリッジを装填した状態で着脱可能であるように、ホルダ本体と取付部材とを用いて構成されており、
前記ホルダ本体が、前記カートリッジを装填し得る形状を有し、
前記取付部材が、前記フィルムの搬送処理が行われる搬送部近傍のホルダ取付部に着脱可能である
ことを特徴とするカートリッジ装填機構。
【請求項２】
前記カートリッジホルダを成す前記取付部材が前記ホルダ取付部に取り付けられた状態で、前記ホルダ本体が、カートリッジを装填し得る装填可能位置と、前記カートリッジ内のフィルムの搬送処理が行われるフィルム搬送位置とに移動可能であって、
前記ホルダ本体の移動位置にかかわらず、前記取付部材の着脱操作によって、前記カートリッジホルダを着脱することができる
請求項１に記載のカートリッジ装填機構。
【請求項３】
前記取付部材が、前記ホルダ取付部の被係合部に係脱可能なフック部と、前記ホルダ取付部の取付部と凹凸嵌合可能な嵌合部とを有する
請求項１または２に記載のカートリッジ装填機構。
【請求項４】
帯状のフィルムを長手方向に搬送する搬送レーンを有する搬送部と、前記搬送レーンで搬送されるフィルムの駒画像を読み取る撮像部と、前記搬送レーンの上流側に設けられ、前記フィルムを内包したカートリッジを装填して前記フィルムの出し入れに対応可能なカートリッジ装填部と、前記搬送レーンの下流側に設けられ、前記フィルムを巻き取ることが可能な巻取部とを備え、
前記カートリッジ装填部として、請求項１から３のいずれか１項に記載されたカートリッジ装填機構が用いられる
ことを特徴とする画像読取装置。
【発明の詳細な説明】
【０００１】
【発明の属する技術分野】
本発明は、写真フィルム用のカートリッジを装填するカートリッジ装填機構に関し、特に、画像読取装置にてカートリッジ内のフィルムを搬送させる際に使用されるカートリッジ装填機構に関するものである。
【０００２】
【従来の技術】
フィルムを用いた撮影、フィルムの現像処理、あるいはフィルム画像のプリント処理等において、帯状のフィルムを内包したカートリッジは、それぞれの目的のために、一般的に所定位置に装填されて固定される。したがって、各処理を実施する各装置には、それぞれ適切にカートリッジを装填し得るカートリッジ装填機構が設けられている。
【０００３】
カートリッジ装填機構には、カートリッジを適切に固定する手段や、カートリッジ内のフィルムの状態（撮影途中、未現像、あるいは現像済等）を判断するための手段が設けられ、これらの手段はそれぞれ相互に関連して機能する場合もある。
【０００４】
上述した通り、カートリッジ装填機構は、様々な装置に設けられており、例えば、画像読取装置におけるフィルムの搬送部近傍に設けられたもの（例えば、特許文献１参照）が知られている。
この従来技術にて開示されたカートリッジ装填機構は、カートリッジを保持するカートリッジホルダ、このカートリッジホルダを支持するホルダ支持体、およびホルダ支持体を付勢する付勢手段等を備えている。そして、このカートリッジホルダにカートリッジを装填し、付勢手段によって所定方向にホルダ支持体を付勢することによって、カートリッジの装填状態を保持するように構成されている。
【０００５】
従来技術にかかる画像読取装置においては、フィルムに形成された画像の読み取り処理を行うために、以上のように構成されたカートリッジ装填機構にカートリッジがセットされる。カートリッジ装填機構にカートリッジがセットされると、その内部のフィルムが引き出されて、引き出されたフィルムに対しては、搬送処理および画像読み取り処理が行われる。画像読み取りのために設けられた撮像部を通過したフィルムは、一時的にフィルムを巻き取って回収し得る巻取り部に巻き取られる。そして、画像の読み取り処理が終了したフィルムは、再度、カートリッジ内に巻き戻される。
【０００６】
【特許文献１】
特開平１０−３１９５１４号公報
【０００７】
【発明が解決しようとする課題】
しかしながら、上記従来技術（特許文献１）には、次のような問題があった。
【０００８】
従来技術にかかる画像読取装置においては、カートリッジ内のフィルムが引き出されて、搬送処理および画像読み取り処理等が行われるが、これらの処理動作中に、なんらかのトラブルによって（例えば、フィルム搬送中にカートリッジに挿入されている駆動軸が外れたり、カートリッジが壊れて）、フィルム詰まりが起こる場合がある。この従来技術においては、上記のようなフィルム詰まりが発生した場合には、フィルムが、カートリッジと搬送装置との間に跨ることとなる。したがって、フィルム詰まりを解消するためには、搬送装置の上部ユニットを大きく開放等して（開口角を大きくとって）、カートリッジを取り外さなければならない。
【０００９】
従来技術においては、特許文献１の図５に示すように、フィルム搬送ユニット自身を写真焼付装置から取り外すことが可能であるため、上部ユニットを大きく開放してカートリッジの取り外しを行うことができる。しかし、例えば、フィルム搬送ユニットの上部ユニットを大きく開放することができない場合（例えば、フィルム搬送ユニットを取り外すことができない場合等）には、カートリッジを取り外す作業は非常に煩雑であるという問題があった。特に、カートリッジはカートリッジ装填機構に保持された状態であるため、このような状態でカートリッジの取り外し作業を行うと、フィルムに傷を付けるおそれがあるという問題があった。
【００１０】
また、従来技術にて開示された画像読取装置においては、カートリッジ装填機構が跳ね上げ式になっており、この跳ね上げ方向と搬送装置の上部ユニットの開放方向とが交差している。したがって、仮に、上部ユニットを大きく開放できない構成において、上記のようなフィルム詰まりの解消を行う場合には、カートリッジ装填機構と搬送装置との間でフィルムが捩れたような状態となり、折れやしわなどのダメージを受けるおそれがあるという問題があった。
【００１１】
そこで、本発明は、上記従来技術の問題を解決するためになされたものであって、フィルム詰まりを容易に解消すべく、カートリッジホルダを着脱可能としたカートリッジ装填機構、およびこのカートリッジ装填機構を備えた画像読取装置を提供することを課題とする。
【００１２】
【課題を解決するための手段】
すなわち、本発明にかかるカートリッジ装填機構は、
写真フィルム用のカートリッジが装填され、装填された状態で前記カートリッジ内のフィルムの搬送処理が行われるカートリッジホルダを備えたカートリッジ装填機構であって、
前記カートリッジホルダが、前記カートリッジを装填した状態で着脱可能であるように、ホルダ本体と取付部材とを用いて構成されており、
前記ホルダ本体が、前記カートリッジを装填し得る形状を有し、
前記取付部材が、前記フィルムの搬送処理が行われる搬送部近傍のホルダ取付部に着脱可能である
ことを特徴としている。
【００１３】
このように構成されたカートリッジ装填機構によれば、前記カートリッジを装填した状態で、前記カートリッジホルダを前記ホルダ取付部から離脱させることができる。すなわち、本発明によれば、フィルム詰まりが生じた際には、前記取付部材を前記ホルダ取付部から離脱させることによって、前記カートリッジホルダごと前記カートリッジを取り外すことが可能となる。したがって、本発明によれば、フィルム詰まりの解消を比較的容易に行うことができる。また、このような構成によれば、前記搬送部を成す上部本体の開放角度が制限されている場合、あるいは開放できない場合であっても、前記カートリッジホルダを取り外すことが可能であるため、容易にフィルム詰まりを解消することができる。
【００１４】
また、本発明にかかるカートリッジ装填機構においては、
前記カートリッジホルダを成す前記取付部材が前記ホルダ取付部に取り付けられた状態で、前記ホルダ本体が、カートリッジを装填し得る装填可能位置と、前記カートリッジ内のフィルムの搬送処理が行われるフィルム搬送位置とに移動可能であって、
前記ホルダ本体の移動位置にかかわらず、前記取付部材の着脱操作によって、前記カートリッジホルダを着脱することができる
構成が好ましい。
【００１５】
この好ましい構成によれば、前記ホルダ本体の移動位置にかかわらず、前記取付部材の操作を行うことのみで、前記カートリッジホルダを着脱することが可能であるため、例えば、前記フィルムの搬送途中であって前記搬送部を成す上部本体が開放できない場合であっても、前記カートリッジホルダごと前記カートリッジを取り外すことができる。したがって、この好ましい発明によれば、フィルム詰まりを比較的容易に解消することができる。
【００１６】
また、本発明にかかるカートリッジ装填機構においては、前記取付部材が、前記ホルダ取付部の被係合部に係脱可能なフック部と、前記ホルダ取付部の取付部と凹凸嵌合可能な嵌合部とを有する構成が好ましい。
例えば、前記取付部材が、前記ホルダ取付部の被係合部に係脱可能なフック部と、前記ホルダ取付部の取付孔部に嵌合し得る突起部を有する嵌合部とを用いて構成されており、前記嵌合部に形成された突起部を前記取付穴部に嵌合させた後に、前記フック部を前記被係合部に係合させることによって、前記取付部材が前記ホルダ取付部に装着され、前記フック部を前記被係合部から離脱させた後に、前記嵌合部に形成された突起部を前記取付穴部から外すことによって、前記取付部材が前記ホルダ取付部から取り外される構成が好ましい。
【００１７】
この好ましい構成によれば、前記取付部がフック部と嵌合部という簡単な構成を有しているため、上述したカートリッジホルダの着脱作業を簡単に且つ短時間で行うことが可能となって、延いては、フィルム詰まりの解消を容易に行うことができる。
【００１８】
また、本発明にかかる画像読取装置は、
帯状のフィルムを長手方向に搬送する搬送レーンを有する搬送部と、前記搬送レーンで搬送されるフィルムの駒画像を読み取る撮像部と、前記搬送レーンの上流側に設けられ、前記フィルムを内包したカートリッジを装填して前記フィルムの出し入れに対応可能なカートリッジ装填部と、前記搬送レーンの下流側に設けられ、前記フィルムを巻き取ることが可能な巻取部とを備え、
前記カートリッジ装填部として、上述したいずれかのカートリッジ装填機構が用いられる
ことを特徴としている。
【００１９】
このような構成によれば、上述した種々の効果を有するカートリッジ装填機構を用いることによって、搬送部を成す上部本体の開放限度および開放方向にかかわらず、フィルム詰まりを容易に解消すべく構成された、画像読取装置を得ることができる。
【００２０】
【発明の実施の形態】
以下、本発明の実施形態にかかる画像読取装置について、図面を参照しながら説明する。
本実施形態にかかる画像読取装置は、帯状の３５ｍｍフィルム（以下「１３５フィルム」ともいう。）、あるいはＡＰＳ（アドバンスト・フォト・システム）フィルムのカートリッジ内に収納された帯状のフィルム（以下「２４０フィルム」ともいう。）に形成された駒画像を読み取るものである。すなわち、駒画像の読み取りのために、フィルムを搬送する搬送レーンを複数有した画像読取装置に関するものである。
【００２１】
図１は、本実施形態にかかる画像読取装置の概略斜視図を示したものである。この図１に示すように、本実施形態にかかる画像読取装置は、フィルムを搬送する搬送レーンを備えた搬送装置１０と、搬送装置１０から搬送されてきたフィルムを巻き取るように構成された巻取ユニット２０と、搬送装置１０によって搬送されるフィルムに形成された駒画像を読み取る撮像装置３０（本発明の「撮像部」に相当）とで構成されている。
【００２２】
搬送装置１０は、図２および図３に示すように、ＡＰＳフィルムのカートリッジ（本発明の「カートリッジ」に相当）を装填する装填部１１０（本発明にかかる「カートリッジ装填機構」、「カートリッジ装填部」に相当）と、２４０フィルムを搬送する搬送レーンである第一レーンＲ１および１３５フィルムを搬送する搬送レーンである第二レーンＲ２を備えたフィルム搬送部１３０（本発明の「搬送部」に相当）とで構成されている。
【００２３】
装填部１１０は、装填されたＡＰＳフィルムのカートリッジを保持するホルダ部１１１（本発明の「カートリッジホルダ」に相当）と、このホルダ部１１１に保持されたＡＰＳフィルムのスプール軸の一端部を支持する支持軸を有する移動支持部１１７と、ホルダ部１１１に保持されたＡＰＳフィルムのスプール軸を回転させる駆動部１２６とで構成されている。
【００２４】
ホルダ部１１１は、ＡＰＳフィルムのカートリッジを挿入するホルダ本体１１２と、ホルダ本体１１２が蝶着されてフィルム搬送部１３０に取り付けられる取付部材１１３とで構成されている。
【００２５】
ホルダ本体１１２は、外周形状がＡＰＳフィルムのカートリッジの端面形状と略相似した形状に設定されてドーナツ状（後述する支持軸が貫通可能な形状）に形成されたベース部１１４と、このベース部１１４の外周方向に所定間隔を有し、ベース部１１４の外周縁部から中心線方向に突出した複数の保持片１１５とで構成されている。
【００２６】
複数の保持片１１５は、先端側にＡＰＳフィルムのカートリッジを装填する装填口Ｉｃを形成しており、この複数の保持片１１５で包囲した領域内にＡＰＳフィルムのカートリッジを軸心方向に挿入可能に配置されている。また、複数の保持片１１５は、ＡＰＳフィルムのカートリッジを装填した状態で、カートリッジのシャッタ部（フィルムを引き出す引出口）が保持片１１５間に位置するように配置され、２４０フィルムの引き出しが可能となるように構成されている。
【００２７】
取付部材１１３は、後述する下部本体に連接されたホルダ取付部に着脱可能に構成されており、前記ホルダ本体１１２のベース部１１４が蝶着されている。ホルダ本体１１２と取付部材１１３とを蝶着した軸体１１６には、ねじりコイルバネ（図示省略）が外嵌されており、ホルダ本体１１２が軸体回りに付勢されている。
【００２８】
ホルダ部１１１は、装填したカートリッジのシャッタ部が第一レーンＲ１側となるように、取付部材１１３がフィルム搬送部１３０（下部本体１４０）に取り付けられ、この状態でホルダ本体１１２は、装填されたカートリッジ内のスプール軸が横臥状態となるフィルム引出姿勢（ホルダ本体１１２がこのような姿勢となる位置が、本発明の「フィルム搬送位置」に相当）と、装填口Ｉｃが上方に向く装填姿勢（ホルダ本体１１２がこのような姿勢となる位置が、本発明の「装填可能位置」に相当）との間で姿勢変更可能である。このホルダ部１１１は、フィルム引出姿勢において、第一レーンＲ１の後述する第一レーン挿入口とカートリッジのシャッタ部とが対向し、カートリッジから２４０フィルムを引き出して第一レーンＲ１に挿入できるように構成されている。一方、装填姿勢においては、装填口Ｉｃが上方に向き、ＡＰＳフィルムのカートリッジの装填および取り出しを行うことができるように構成されている。
【００２９】
駆動部１２６は、フィルム搬送部１３０に連結されるベース体１２６Ａと、駆動源である電動モータ１２７と、この電動モータ１２７の回転を減速する減速機構１２８とを備えている。ベース体１２６Ａは、フィルム搬送部１３０の下面に取り付けられており、このベース体１２６Ａには、電動モータ１２７および減速機構１２８が垂設されている。減速機構１２８の出力軸（図示省略）は、一端部がホルダ本体１１２に向けて突出するように設けられており、ホルダ本体１１２のベース部１１４の穴を介し、装填姿勢からフィルム引出姿勢になったカートリッジ内のスプール軸の一端部と係合して電動モータ１２７の駆動力がスプール軸に伝達されるように構成されている。なお、電動モータ１２７は、減速機構１２８を介してフィルム搬送部１３０の駆動も担っている。
【００３０】
移動支持部１１７は、スプール軸の他端部を支持する回転自在な支持軸１２１を備えている。具体的には、この移動支持部１１７は、ＡＰＳフィルムにおけるカートリッジのシャッタ部を開閉する開閉機構を備えている。開閉機構は、電動モータ１１８と、この電動モータ１１８の駆動力をカートリッジのシャッタ開閉部に伝達する伝達機構体１１９およびシャッタ回転軸とを備えている。また、支持軸１２１は、伝達機構体１１９の筐体表面に突出し、回転自在に軸支されている。このように構成された移動支持部１１７は、ベース１２０に支持されており、フィルム引出姿勢になったカートリッジ内のスプール軸の軸心方向に進退可能に構成されている。
【００３１】
支持軸１２１は、ＡＰＳフィルムのスプール軸の他端部と係合可能に構成されており、移動支持部１１７がカートリッジに向けて前進することで、スプール軸の他端部と係合するように構成されている。一方、移動支持部１１７が、カートリッジから離間するように後退することで、スプール軸と支持軸１２１との係合が解除されるように構成されている。
【００３２】
フィルム搬送部１３０は、上下に対向配置された下部本体１４０と、上部本体１６０とで構成されている。下部本体１４０は、平面視略矩形状に形成されており、長手方向の一端側における一方の角部が、平面視略角形に切り欠かれ、装填部１１０を配置する配置スペースを形成している。
【００３３】
ここで、図４は、本実施形態にかかる搬送装置の概略斜視図であって、上部本体を開いた状態を示したものである。また、図５は、図３のＶ−Ｖ断面図を示したものである。これらの図に示すように、下部本体１４０における上部本体１６０と対向する面には、第一レーンＲ１を形成するための第一下溝１４１が形成されている。
【００３４】
第一下溝１４１は、２４０フィルムの幅に対応した幅に設定されており、装填部１１０の配置スペースの形成位置（装填部内に装填されたカートリッジのシャッタ部の配置位置）に対応するように、下部本体１４０の長手方向に全長に亘って形成されている。この第一下溝１４１の底面には、長手方向（フィルムの搬送方向）に所定間隔を有して複数の凹部１４２が形成されており、この凹部１４２には、回転駆動する駆動ローラ１４３が内装されている。駆動ローラ１４３は、第一下溝１４１の底面から一部を突出させるように設けられており、上部本体１６０に設けられた従動ローラ１６３と当接するように構成されている。
【００３５】
第一下溝１４１の底面の所定位置には、溝幅方向に延びて上下方向に貫通したスリット状の第一下透過部１４４が形成され、この第一下透過部１４４に対して下部本体１４０の一端側には、上部本体１６０に設けられた磁気ヘッド１６５に２４０フィルムを押し付ける回転自在なヘッド用ローラ１４５が埋設されている。
【００３６】
また、第一下溝１４１には、フィルムに形成された検知用のパーフォレーションを検知するセンサー（例えば、透過型センサーであれば、投光器または受光器の一方（図示省略））が適宜埋設されるとともに、第一下透過部１４４より下部本体１４０の一端側にフィルムの一方の面をクリーニングするブラシ１４６が埋設されている。
【００３７】
上部本体１６０は、平面視矩形状に形成されており、長手方向が前記第一レーンＲ１の全長に対応した長さに設定され、短手方向が下部本体１４０の短手方向の長さに対応した長さに設定されている。
この上部本体１６０は、装填部１１０をかわして下部本体１４０に対向配置されており、短手方向の一端部が下部本体１４０の短手方向の一端部に蝶着されている。これにより、上部本体１６０は、下部本体１４０に対して開閉可能となっており、上部本体１６０と下部本体１４０との対向面同士が密接する密接状態と、この対向面が離間する離間状態との間で姿勢変更可能となっている（図４等参照）。
【００３８】
上部本体１６０における下部本体１４０と対向する面には、第一下溝１４１と共に第一レーンＲ１を形成するための第一上溝１６１と、第二下溝１５０と共に第二レーンＲ２を形成するための第二上溝（図示省略）とが形成されている。
【００３９】
第一上溝１６１は、第一下溝１４１と同様に、２４０フィルムの幅に対応した幅に設定されており、第一下溝１４１の形成位置に対応して長手方向に全長に亘って形成されている。この第一上溝１６１の天面には、第一下溝１４１の凹部１４２の形成位置に対応して長手方向（２４０フィルムの搬送方向）に所定間隔を有して複数の凹部１６２が形成されており、この凹部１６２には、回転自在な従動ローラ１６３が内装されている。従動ローラ１６３は、第一上溝１６１の天面から下方に向けて一部を突出させるように設けられており、下部本体１４０の駆動ローラ１４３と共に２４０フィルムを狭持できるように構成されている。
【００４０】
第一上溝１６１には、第一下溝１４１の第一下透過部１４４の形成位置に対応して、溝幅方向に延びて上下方向に貫通したスリット状の第一上透過部１６４が天面の所定位置に形成されている。
【００４１】
第一上溝１６１内には、第一上透過部１６４より上部本体１６０の一端側に磁気ヘッド１６５が設けられている。この磁気ヘッド１６５は、ヘッド面が第一下溝１４１の底面に向けて配置されており、ヘッド用ローラ１４５と当接するように構成されている。
【００４２】
巻取ユニット２０は、第一レーンＲ１で搬送されるＡＰＳフィルムの２４０フィルムを一時的に回収して収容する巻取部である第一巻取部２１０（本発明の「巻取部」に相当）と、第二レーンＲ２で搬送される１３５フィルムを一時的に回収する巻取部である第二巻取部２５０と、第一巻取部２１０および第二巻取部２５０をユニット化してフィルム搬送部１３０に対して取り付けるフレーム部２８０とで構成されている（図２参照）。
【００４３】
図６は、本実施形態にかかる第一巻取部２１０の概略斜視図を示したものである。この図６に示すように、第一巻取部２１０は、一端開口が閉塞板２１１により閉塞されて２４０フィルムを収容する内部空間（以下「収容空間」という。）を形成した環状の胴部２１２と、この胴部２１２の他端開口を開閉可能に設けられた扉体２１３とで構成されている。
【００４４】
胴部２１２は、一端開口側を形成する第一分割胴２１４ａと、前記他端開口を形成する第二分割胴２１４ｂとが連結されることで形成されており、開口形状が略小判状に形成されている。すなわち、胴部２１２の内周面は、環状をなしており、上下方向で対向する凹状をなす一対の円弧面２１５ａ，２１５ｂと、この円弧面２１５ａ，２１５ｂ同士を連続させる起立した一対の起立面２１６ａ，２１６ｂとで構成されている。
【００４５】
この胴部２１２の内周面は、中心軸方向の幅が２４０フィルム幅と同等、あるいはそれよりやや広く設定されている。また、この胴部２１２の内周面は、中央部の全周に溝２１７が形成されており、両端開口部側の内径が中央部よりも小さくなるように形成されている。これにより、収容空間に入り込んだ２４０フィルムは、両側端部が胴部の内周面の両側部にのみ摺接して移動することとなる。
【００４６】
胴部２１２を形成する第一分割胴２１４ａおよび第二分割胴２１４ｂの連結面には、胴部２１２の中心軸方向に掘り下げられたスリット状の挿入口形成溝２１８ａ，２１８ｂが形成されており、第一分割胴２１４ａ、および第二分割胴２１４ｂを連結することで挿入口形成溝２１８ａ，２１８ｂが一体となり、起立面２１６ａと直交方向で且つ上方側の円弧面２１５ａに対して接線方向の面を形成したスリット状の第一挿入口２１９が、胴部２１２の軸心方向に形成されるように構成されている。
【００４７】
また、胴部２１２の他端側における上部外面には、第二巻取部２５０の支持フレーム（図示省略）を載置可能な載置部２２０が形成されている。この載置部２２０は、支持フレームの載置片に形成された位置決穴に挿入される位置決用凸部２２４が形成されている。また、胴部２１２の上部外面には、載置部２２０に載置した支持フレームが上方に向けて移動するのを規制する規制爪２２１が上方に向けて突設されている。
【００４８】
胴部２１２の閉塞板２１１の外面には、第一挿入口２１９を形成した周壁から外部に向けて突出するように連結部（図示省略）が設けられている。この連結部は、ねじ部材を介して当該巻取ユニット２０をフィルム搬送部１３０に着脱可能に取り付けることができるようになっており、フィルム搬送部１３０に連結した際に、第一レーンＲ１で搬送されてくる２４０フィルムが第一挿入口２１９に挿入可能な配置となるように設けられている。
【００４９】
扉体２１３は、プレート状に形成されており、一端部が胴部２１２における第一挿入口２１９側の端縁部に蝶着され、収容空間の開放、および閉塞することができるように構成されている。これにより、胴部２１２の収容空間内の状況を確認できるようになっている。また、扉体２１３は、胴部２１２の開口端縁部に形成された係止用凹部２２２に係止可能な係止爪２２３が他端部に突設されており、この扉体２１３を閉じた際に閉状態を維持できるように構成されている。
【００５０】
撮像装置３０は、図７に示すように、搬送装置１０で搬送されるフィルムに形成された駒画像を読み取る撮像体３１０と、搬送中のフィルムに光を照射する光源体３２０と、撮像体３１０および光源体３２０を連結して支持する連結フレーム３３０とで構成されている。
【００５１】
撮像体３１０は、ライン状に形成された可視光用の撮像素子３１１ａ（以下「可視光用ラインＣＣＤ」という。）と、ライン状に形成された赤外用の撮像素子３１１ｂ（以下「赤外用ラインＣＣＤ」という。）と、搬送装置１０で搬送されるフィルムの駒画像を像として可視光用ラインＣＣＤ３１１ａおよび赤外用ラインＣＣＤ３１１ｂに導くダイクロイックミラー３１２と、ダイクロイックミラー３１２に前記像を導く光学系であるレンズ３１３とで構成されており、本実施形態においては、搬送装置１０（における第一透過部１３１（図２参照）、または第二透過部１３２（第二レーンＲ２に設けられた透過部））の上方に配置されている。
【００５２】
可視光用ラインＣＣＤ３１１ａは、読み取り面がフィルムの駒画像形成面に対して略平行、且つ直交した状態となるように配置され、赤外用ラインＣＣＤ３１１ｂは、読み取り面が第一透過部１３１および第二透過部１３２の形成方向に対応して、第一透過部１３１および第二透過部１３２の何れか一方と対向するように配置されている。
【００５３】
ダイクロイックミラー３１２は、第一透過部１３１または第二透過部１３２の配置位置に対応して配置されており、第一透過部１３１または第二透過部１３２を介して、透過した像を可視光用ラインＣＣＤ３１１ａおよび赤外用ラインＣＣＤ３１１ｂに導けるように傾斜状態で配置されるとともに、レンズ３１３は、ダイクロイックミラー３１２に像を導けるようにダイクロイックミラー３１２と搬送装置１０との間に介装されている。
【００５４】
光源体３２０は、搬送装置１０（における第一透過部１３１または第二透過部１３２部）の下方に配置されており、赤外光、および赤色光を発光する複数の赤外赤色発光素子３２１Ｒ（以下「赤色ＬＥＤ」という。）、緑色光を発光する複数の緑色発光素子３２１Ｇ（以下「緑色ＬＥＤ」という。）、青色光を発光する複数の青色発光素子３２１Ｂ（以下「青色ＬＥＤ」という。）、これらからの光を方向を変えるダイクロイックミラー３２２、光学系であるレンズ３２３により構成されている。
【００５５】
複数の赤色ＬＥＤ３２１Ｒはライン状に配置され、ダイクロイックミラー３２２、レンズ３２３を介して、搬送装置１０の第一透過部１３１、または第二透過部１３２に向けて赤色光を照射し、この赤色光が第一透過部１３１または第二透過部１３２を介して撮像体３１０に到達するように構成されている。また、緑色ＬＥＤ３２１Ｇ、青色ＬＥＤ３２１Ｂのそれぞれも、赤色ＬＥＤ３２１Ｒと同様にライン状に配置され、ダイクロイックミラー３２２、およびレンズ３２３を介して、搬送装置１０の第一透過部１３１、または第二透過部１３２に向けて緑色光、青色光を照射し、この緑色光および青色光が第一透過部または第二透過部を介して撮像体３１０に到達するように構成されている。
【００５６】
連結フレーム３３０は、搬送装置１０の上方に配置された撮像体３１０と、搬送装置１０の下方に配置された光源体３２０とを連結している。この連結フレーム３３０は、搬送装置１０におけるフィルムの搬送方向と略直交する方向に往復動可能に構成されており、撮像体３１０および光源体３２０が、第一レーンＲ１の第一透過部に対応した第一位置と、第二レーンＲ２の第二透過部に対応した第二位置との間で移動できるようになっている。これにより、第一レーンＲ１における第一透過部１３１から透過する像の撮像と、第二レーンＲ２における第二透過部１３２から透過する像の撮像を切り替えることができるようになっている。
【００５７】
本実施形態にかかる画像読取装置は、以上のように構成されており、この画像読取装置を用いた２４０フィルムからの駒画像の読み取り処理は、以下のようにして行われる。
【００５８】
まず、カートリッジを装填したホルダ本体１１２をフィルム引出姿勢にし、スプール軸を移動支持部１１７の支持軸１２１で支持させるとともに駆動部１２６の出力軸と係合させる。
【００５９】
カートリッジから引き出した２４０フィルムを第一レーン挿入口から第一レーンＲ１の穴内に挿入すると、この２４０フィルムは、第一レーンＲ１の駆動ローラ１４３および従動ローラ１６３によってフィルム搬送部１３０の他端側（巻取ユニット２０側）に向けて搬送されることとなる。この際、装填部１１０における２４０フィルムの送り出し速度（駆動部１２６の出力軸を用いたスプール軸の回転速度）は、２４０フィルムが弛まないように、駆動ローラ１４３による搬送速度に比してやや低速、あるいは同等になっている。
【００６０】
２４０フィルムが第一透過部１３１を通過する際に、撮像装置３０の光源体３２０からの光が駒画像に照射され、これによって得られた象が撮像体３１０（赤外用ラインＣＣＤ３１１ａ、可視光用ラインＣＣＤ３１１ｂ）によってライン状に順次読み取られることとなる。
【００６１】
そして、２４０フィルムは、先端部が第一巻取部２１０の第一挿入口２１９に入り込み、扉体２１３の内面および胴部２１２の一端開口を閉塞した閉塞板２１１によってガイドされた状態で、２４０フィルムの先端部が第一巻取部２１０の内周面に沿って移動して自発的に順次巻かれていき、第一巻取部２１０内の収容空間に一時的に回収される。
【００６２】
駒画像の全てを読み込んだ後、駆動部１２６の電動モータ１２７が逆転してスプール軸を回転させ、第一巻取部２１０に一時的に回収された２４０フィルムが再度カートリッジ内に巻き戻されることとなる。なお、２４０フィルムの駒画像の読み取りには、プレスキャニングと本スキャニングの二度の画像読み取りを行う場合と、本スキャニングのみを行う場合があり、プレスキャニングと本スキャニングとを行う場合には、第一巻取部２１０に向けて搬送する際にプレスキャニングが行われ、カートリッジ内に再度巻き取る際に本スキャニングが行われる。
【００６３】
上述したように、カートリッジから２４０フィルムを引き出したり、引き出した２４０フィルムをカートリッジ内に巻き戻したりする動作が円滑に行えない場合、例えば、２４０フィルムがフィルム搬送部１３０によって搬送されている際に、第一巻取部２１０内に２４０フィルムが入り込まなくなるようなトラブルが発生した場合には、第一巻取部２１０の扉体２１３を開き、第一巻取部２１０の収容空間内の状況を確認することとなる。この確認により、第一巻取部２１０内にトラブルの原因が有った場合には、作業者が胴部の一端開口を介して第一巻取部２１０内の状況を改善し、再度２４０フィルムの搬送を行い、駒画像の読み取りが再開される。
【００６４】
また、２４０フィルムの搬送を阻害する原因が、フィルム搬送部１３０内に有る場合には、上部本体１６０を開くとともに、作業者が胴部２１２の一端開口から収容空間内に指を入れ、胴部２１２内の２４０フィルムを第一挿入口２１９から外部に送り出したり、２４０フィルムをカートリッジ側で切断して胴部２１２内に引き込んで一端開口から取り出したりして２４０フィルムを当該搬送装置１０から取り除くこととなる。
【００６５】
さらに、カートリッジの故障等によってフィルム詰まり等が発生した場合には、ホルダ部１１１を取り外してから、フィルム詰まり等を解消する。なお、このホルダ部１１１の着脱構成については、後に詳細に説明する。
【００６６】
また、本実施形態にかかる画像読取装置は、本スキャニングのみを行う場合には、上述の如く、２４０フィルムを第一巻取部２１０に一時的に回収した後に、カートリッジに巻き戻すようにする他に、巻取ユニット２０（第一巻取部２１０）をフィルム搬送部１３０から取り外して、第一レーンＲ１挿入部にカートリッジから分離した２４０フィルムを挿入し、この２４０フィルムを一方向に搬送して本スキャニングのみを行うこともできるようにもなっている。
【００６７】
さて、以上のように構成されて機能する本実施形態にかかる画像読取装置において、２４０フィルムからの読み取り処理を実施するために設けられた装填部１１０は、より具体的には、図８〜図１６に示すように構成されている。これらの図においては、装填部１１０の構成および作用効果を適切に説明するために、必要に応じて、これまでに説明された図面からカバー体を取り外したり、構造を簡略化および省略化した状態を示している。また、これらの図においては、ホルダ本体１１２に装填されるカートリッジも省略する。
【００６８】
なお、この装填部１１０に装填されるカートリッジは、図１７に示すように構成されている。図１７に示すように、カートリッジ４００内には、フィルム（２４０フィルム）４０２が収納されており、このフィルム４０２は、撮影等にて画像が形成される画像領域４０２ａと、画像領域４０２ａの上下に設けられる磁気トラック（磁気記録面）４０２ｂと、パーフォレーション４０２ｃとからなる。また、このカートリッジ４００には、収納されたフィルム４０２が巻回されたスプール軸４０１、およびフィルム４０２の状態（現像済あるいは未現像）を判断する際に用いられるフィルム状態検知部４０６が設けられている。
【００６９】
図１７においては、カートリッジ４００内からフィルム４０２が引き出された状態が示されているが、このフィルム４０２は、通常はカートリッジ４００に収納されている。この際、フィルム４０２の出し入れが可能な形状に開口されているフィルム引き出し部４０５は、シャッタ部４０３によって閉塞され、カートリッジ４００内は遮光状態となる。シャッタ部４０３は、シャッタ開閉部４０４を回転させることによって開閉可能であって、シャッタ部４０３を開放した後に、スプール軸４０１を駆動させることによって、フィルム４０２の引き出しが行われる。
【００７０】
図８は、ホルダ部１１１が装填姿勢となっている状態の装填部１１０の側面図を示したものである。また、図９および図１０は、後述するストッパプレートを解除しない程度に（解除する直前まで）、ホルダ部１１１を回転させた状態の斜視図を示したものである。つまり、図９および図１０は、フィルム引出姿勢になる直前の装填部１１０の状態を示した斜視図である。なお、ホルダ１１１を回転させる場合には、ホルダ本体１１２を成す保持片１１５から延設された押下部１１５ａを矢印Ｙ方向（図８参照）に押し下げる。
【００７１】
本実施形態にかかる装填部１１０は、フィルムが収容された状態のカートリッジ４００が装填可能に構成されており、カートリッジ４００を装填する前には、図８に示すような状態（「装填姿勢」状態）となっている。
本実施形態においては、先にも述べたように、ホルダ部１１１が、ホルダ本体１１２と取付部材１１３とを蝶着して構成され、これらを蝶着した軸体１１６には、ねじりコイルバネ（図示省略）が外嵌されている。そして、本実施形態においては、取付部材１１３を下部本体に連接されたホルダ取付部５１に取り付け、コイルバネの付勢力によって、ホルダ部１１１が図８に示すような装填姿勢となる。
【００７２】
取付部材１１３は、軸体１１６と共にスライド可能に構成されたフック部１１３ａと、ホルダ取付部５１に設けられた取付孔部に嵌合する突起部が形成された嵌合部１１３ｂとを用いて構成されている。すなわち、取付部材１１３とホルダ本体１１２とは、フック部１１３ａと嵌合部１１３ｂとホルダ部１１１を成すベース部１１４に設けられたベース部接合部１１４ａとが軸体１１６によって貫通された状態で蝶着されている。
【００７３】
ホルダ取付部５１には、フック部１１３ａと係合する被係合部と、嵌合部１１３ｂに形成された突起部が嵌合する取付孔部とが形成されている。したがって、上記のように構成された取付部材１１３（ホルダ部１１１）をホルダ取付部５１に取り付ける際には、嵌合部１１３ｂの突起部を取付孔部に嵌合させた後に、フック部１１３ａと被係合部とを係合させる。一方、取付部材１１３（ホルダ部１１１）をホルダ取付部５１から取り外す際には、フック部１１３ａと被係合部との係合状態を解除した後に、取付部材１１３を上方に移動させ、嵌合部１１３ｂの突起部を取付孔部から外す。なお、このホルダ部１１１の着脱方法の詳細については、後述する。
【００７４】
本実施形態においては、装填姿勢から押下部１１５ａを矢印Ｙ方向（図８参照）に押し下げることによってホルダ本体１１２を回転させて、装填部１１０がフィルム引出姿勢になる直前（図９および図１０参照）までの間は、ホルダ部１１１の下方位置に設けられているストッパプレート６１のストッパ当接部６１ａが、移動支持部１１７を成す伝達機構体１１９の筐体上の移動支持部側当接部１１９ａに当接している。ストッパ当接部６１ａは、ストッパプレート６１の先端部分の一部を切り欠いて形成されている。また、移動支持部側当接部１１９ａとしては、伝達機構体１１９の筐体の一部を切り欠いて形成されたストッパプレート収納部１１９Ａの先端面の一部が機能する。
【００７５】
本実施形態にかかる移動支持部１１７は、後述する付勢手段によって矢印Ｘ方向（図８参照）に付勢されている。しかしながら、図８から図１０に示す状態においては、移動支持部側当接部１１９ａとストッパ当接部６１ａとが当接しているため、この当接状態が解除されない限り、移動支持部１１７は静止状態が維持される。なお、ストッパプレート６１は、上方向に付勢されているため、下方向に何等かの力が作用しない限り、ストッパ当接部６１ａと移動支持部側当接部１１９ａとの当接状態は解除されない。
【００７６】
また、本実施形態において、移動支持部１１７に対する矢印Ｘ方向（図８参照）への付勢力は、リンク機構７０を介して伝達される。
リンク機構７０は、第一リンク部７１、第二リンク部７２、およびこれらを連結している複数の支点を用いて構成されている。第一リング部７１の一端部には固定支点７３が設けられ、第一リンク部７１（の他端部）と第二リンク部７２（の一端部）とは中間移動支点７４にて連結され、第二リンク部７２（の他端部）と伝達機構体１１９の筐体の一部に設けられた連結部１１９ｂとは移動支点７５にて連結されている。
【００７７】
固定支点７３には、第一リンク部７１を、固定支点７３を中心にして矢印Ｚ方向（図８参照）に回転させるべく付勢する付勢手段７６が設けられている。この付勢手段７６としては、例えば、ねじりコイルバネが用いられる。この付勢手段７６は、固定支点７３に設けられた状態で、その一端部７６ａが固定部８１に接し、その他端部７６ｂが第一リンク部７１に接しており、この固定部８１と第一リンク部７１を離反させる方向に付勢している。
【００７８】
第一リンク部７１の一端部には、オイルダンパ８２に連接された減衰リンク部７７が設けられている。この減衰リンク部７７は、第一リンク部７１と共に固定支点７３を中心にして回転するように構成されている。この減衰リンク部７７は、オイルダンパ８２に連接されているため、付勢手段７６によってリンク機構７０に与えられる付勢力は減衰される。そして、リンク機構７０を成す中間移動支点７４は、この減衰リンク部７７とオイルダンパ８２との機能により、矢印Ｚ方向に滑らかに上昇し、これに伴い、移動支持部１１７は、スライドシャフト１２９上を矢印Ｘ方向に滑らかにスライドして移動する。また、第一リンク部７１の略中央部には、後述する如く、リンク機構７０がロック状態となったときに、ロック状態を解除するために作業者が押し下げる部位である、解除レバー７８が設けられている。
【００７９】
また、図９に示すように、本実施形態にかかる伝達機構体１１９には、その筐体から突出した状態で、支持軸１２１、シャッタ回転軸１２２、および第一検出ピン１２３が設けられている。支持軸１２１は、カートリッジのスプール軸４０１（図１７参照）に係合して、カートリッジを適切に保持すべく構成されている。また、シャッタ回転軸１２２は、シャッタ開閉部４０４（図１７参照）に係合して、カートリッジのシャッタ部４０３を開閉するための駆動力を供給すべく構成されている。このシャッタ回転軸１２２に対する駆動力は、伝達機構体１１９を介して電動モータ１１８から供給される。さらに、第一検出ピン１２３は、ホルダ本体１１２におけるカートリッジの有無を判断すべく構成されている。具体的には、その表出した一端部がカートリッジ４００に接した場合には、第一検出ピン１２３自体が伝達機構体１１９の筐体側内部にへこむように構成されている。そして、この第一検出ピン１２３の他端部にはセンサ（図示省略）が設けられ、このセンサにて第一検出ピン１２３の移動状態を検出して、カートリッジの有無が判断されている。
【００８０】
また、図１０に示すように、本実施形態にかかるホルダ部１１１の裏面側には、ホルダ本体１１２から突出したような状態で、カートリッジのスプール軸４０１（図１７参照）に係合して回転駆動力を供給する出力軸１２４と、シャッタ開閉部４０４（図１７参照）に係合して支持するシャッタ支持軸１２５とが設けられている。これらの軸１２４，１２５は、それぞれ先に説明した支持軸１２１およびシャッタ回転軸１２２と対向するように設けられている。
【００８１】
さらに、この図１０には示されていないが、出力軸１２４の下方位置であって、先に説明した第一検出ピンに略対向する位置には、第二検出ピンが設けられている。この第二検出ピンは、カートリッジに設けられたフィルム状態検知部４０６におけるタブの有無を検出すべく構成されている。通常、未現像のフィルムを内包するカートリッジはフィルム状態検知部４０６にタブを有し、現像済のフィルムを内包するカートリッジはフィルム状態検知部４０６にタブを有しない。つまり、現像処理が行われた際に、カートリッジのタブは折って取り除かれる。
この第二検出ピンは、基本的に先に説明した第一検出ピンと同様に構成されており、その表出した一端部がフィルム状態検知部４０６のタブに接した場合には、第二検出ピン自身がへこみ、タブがない場合にはフィルム状態検知部４０６の空間部に第二検出ピンが入り込むように構成されている。すなわち、この第二検出ピンの他端部にはセンサが設けられ、このセンサにて第二検出ピンの移動状態を検出して、タブの有無（未現像かあるいは現像済であるか）が判断されている。
なお、本実施形態においては、第一検出ピンにてカートリッジの有無を判断し、第二検出ピンにて現像状態を判断する場合について説明したが、本発明はこの構成に限定されず、必要に応じて（例えば、カートリッジの構成の相違）、それぞれの検出ピンにおける検出判断対象を変更してもよい。
【００８２】
次に、図１１は、ホルダ部１１１がフィルム引出姿勢となっている状態の装填部の側面図を示したものである。また、図１２および図１３は、ホルダ部１１１がフィルム引出姿勢となっている状態の装填部の斜視図を示したものである。なお、これらの図１１から図１３においても、先の図８から図１０の場合と同様に、これまでに説明された図面からカバー体を取り外したり、構造を簡略化および省略化した状態を示し、ホルダ本体１１２に装填されるカートリッジの記載は省略する。カートリッジについて必要に応じて図１７を参照する。
【００８３】
先に説明した図９および図１０の状態から、さらに、押下部１１５ａを押し下げると、押下部１１５ａに接するストッパプレート６１も押し下げられて、ストッパ当接部６１ａと移動支持部側当接部１１９ａとの当接状態が解除されて、ストッパプレート６１はストッパプレート収納部１１９Ａに収納される（図１１〜図１３参照）。
【００８４】
つまり、ストッパ当接部６１ａと移動支持部側当接部１１９ａとの当接状態が解除され、付勢手段７６の付勢力がリンク機構７０を介して移動支持部１１７に伝達されることによって、移動支持部１１７はスライドシャフト１２９上を矢印Ｘ方向（図８参照）に摺動する。
【００８５】
本実施形態においては、以上のような押下部１１５ａの操作によって、移動支持部１１７を摺動させることにより、ホルダ本体１１２に装填されているカートリッジ４００（図１７参照）のスプール軸４０１に支持軸１２１と出力軸１２４とが係合し、シャッタ開閉部４０４にシャッタ回転軸１２２とシャッタ支持軸１２５とが係合し、フィルム状態検知部４０６およびそれと略対象となる位置に第二検出ピンと第一検出ピン１２３とが当接する。
すなわち、ストッパプレート６１の当接状態が解除されて、移動支持部１１７（伝達機構体１１９）側およびホルダ本体１１２の裏面側に設けられた各駆動軸、支持軸、および検出ピンが、カートリッジの所定箇所に適切に係合あるいは当接する。
【００８６】
ここで、ホルダ本体１１２内にカートリッジが装填されていない場合には、そのことを第一検出ピン１２３が検知し、各駆動軸から駆動力の供給等はなされない。そして、ホルダ本体１１２内にカートリッジが適切に装填されている場合には、各検出ピンの検知結果、および作業者の操作に応じて、各駆動軸１２４，１２２が作動して、カートリッジのシャッタ開閉部４０４の開放操作、スプール軸４０１の回転操作等がなされて、フィルムの搬送処理およびそれに伴う画像読取処理等が開始される。画像読取処理が終了した後は、先にも説明したように、スプール軸４０１を駆動させて、カートリッジ内へのフィルムの巻取処理が行われる。
【００８７】
本実施形態においては、図８に示すように、移動支持部１１７の矢印Ｘ方向への動きがストッパプレート６１にて拘束されている状態で、ホルダ本体１１２が上方に跳ね上げられているときに、ホルダ本体１１２へのカートリッジの装填が可能となる。すなわち、移動支持部１１７が図８に示すような位置（装填可能位置）にある場合にカートリッジを装填し得る。
また、図１１等に示したように、ストッパプレート６１が解除されて、移動支持部１１７がスライドして、支持軸等がスプールの所定位置に係合等することによって、カートリッジを適切に支持することが可能となる。すなわち、移動支持部１１７が図１１等に示すような位置（支持位置）にある場合に、支持軸と出力軸とでカートリッジを適切に支持し、カートリッジ内のフィルムに対して駆動力を与え得る。
【００８８】
上述したように、本実施形態においては、装填可能位置にある移動支持部１１７に当接しているストッパプレート６１の当接状態が解除されることによって、リンク機構７０と移動支持部１１７とが協同運動する。その結果、移動支持部１１７は支持位置に移動し、図１１から図１３に示すように、リンク機構７０を構成する各支点７３，７４，７５は、略直線状に並んだ状態（ロック状態）となる。
【００８９】
本実施形態においては、リンク機構７０を構成する各支点７３，７４，７５がこのようの略直線状に並んだロック状態となるため、例えば、作業者の手が当たる等して、移動支持部１１７に対してホルダ部１１１から離反する方向（矢印Ｘ１方向（図１１参照））への力が作用した場合であっても、移動支持部１１７はかかる力によって矢印Ｘ方向へは移動しない。すなわち、本実施形態においては、リンク機構７０の各支点７３，７４，７５が略直線状に並ぶことによって、リンク機構７０がホルダ部１１１側からの外力で動かない構造となり、移動支持部１１７の動き（Ｘ１方向の動き）を拘束しているため、フィルム引出姿勢にあるカートリッジを適切に保持することができる。
【００９０】
また、本実施形態においては、リンク機構７０を付勢手段７６にて回転させるように構成されているため、小さな付勢力によって大きなホールド力（カートリッジ保持力）を得ることができる。
【００９１】
さらに、本実施形態においては、リンク機構７０の固定支点７３に、減衰手段を構成する減衰リンク７７およびオイルダンパ８２が設けられている。すなわち、リンク機構７０にてスライド移動させられる移動支持部１１７の移動速度を、減衰手段の設定状態に応じて適切に制御可能に構成されている。
移動支持部１１７がスライド移動してカートリッジに当接する際の衝撃は、この移動支持部１１７の移動速度に起因し、本実施形態によれば、上述したように、この移動速度を適切に制御することが可能である。したがって、本実施形態によれば、減衰手段を適切に設定して、移動支持部１１７とカートリッジとの当接時の衝撃を緩和可能であるため、各検出ピンやカートリッジに設けられたタブの破損を防止することができる。
【００９２】
また、本実施形態においては、支持位置にある移動支持部１１７を装填可能位置に戻す場合には、第一リンク部７１に設けられた解除レバー７８を矢印Ｙ１方向（図１１参照）に押し下げる。より具体的には、解除レバー７８を操作することによってリンク機構７０を縮めて、ストッパプレート６１のストッパ当接部６１ａが移動支持部側当接部１１９ａに当接する状態となるまで、移動支持部１１７を矢印Ｘ１方向（図１１参照）に移動させる。
ストッパ当接部６１ａと移動支持部側当接部１１９ａとが当接状態となれば、再びこの当接状態が解除されるまで、移動支持部１１７は装填可能位置に静止した状態となる。そして、カートリッジは移動支持部１１７側の各軸１２１，１２２の係合状態が解除されることとなるため、ホルダ本体１１２は、図８に示すような跳ね上げ状態となる。このような状態となったなった後、ホルダ本体１１２からのカートリッジの取り出し、および次に処理するカートリッジの装填等が行われる。
【００９３】
本実施形態にかかる装填部１１０においては、上述したように、ホルダ本体１１２にカートリッジを装填して、移動支持部１１７を装填可能位置から支持位置に移動させる場合には、セットレバーとして機能する押下部１１５ａが用いられ、移動支持部１１７を支持位置から装填可能位置に移動させる場合には、解除レバーが用いられる。つまり、本実施形態においては、カートリッジをセットする際に作業者が操作する部位（押下部１１５ａ）と、カートリッジを取り外す際に作業者が操作する部位（解除レバー７８）とが異なるように構成されている。
したがって、本実施形態によれば、このようにカートリッジのセット時および取り外し時における機能分離を行うことによって、各操作部位の明確化を図り、作業者の操作ミスの防止を行うことができる。
【００９４】
また、図１４から図１６は、移動支持部１１７が支持位置にある場合におけるホルダ部１１１の取り外し方法を示した斜視図である。なお、この図１４から図１６においては、カートリッジは省略するが、実際にホルダ本体１１２にカートリッジが装填された状態でホルダ部１１１の取り外しを行う場合には、ホルダ本体１１２の水平状態を維持して、移動支持部１１７を装填可能位置に移動させてから、以下に説明するような作業を行う。
【００９５】
まず、本実施形態においては、図１４に示すように、軸体１１６と共にフック部１１３ａを略水平な方向（矢印Ａ方向）にスライドさせ、フック部１１３ａの先端係合部１１３ａ１（図１０、図１３参照）と、ホルダ取付部の被係合部５２（図１６参照）との係合状態を解除させる。
【００９６】
次いで、図１５に示すように、フック部１１３ａをスライドさせた状態のまま、ホルダ部１１１を上方向（矢印Ｂ方向）に持ち上げる。
【００９７】
次いで、そのまま持ち上げると、嵌合部１１３ｂに設けられた突起部（図示省略）と、ホルダ取付部５１に設けられた取付孔部５３との凹凸嵌合状態が、図１６に示すように完全に解除され、ホルダ部１１１がホルダ取付部５１から取り外されることとなる。なお、図示省略しているが、本実施形態においては、嵌合部１１３ｂの下方の取付孔部５３に対応した位置に、この取付孔部５３と凹凸嵌合し得る突起部が設けられている。
【００９８】
本実施形態においては、以上のようにして、ホルダ部１１１の取り外し処理が行われ、ホルダ部１１１の取り付け処理は、逆の工程を行うことによってなされる。つまり、取り付けの際には、フック部１１３ａをスライドさせた状態で、嵌合部１１３ｂの突起部とホルダ取付部５１の取付孔部５３とを凹凸嵌合させた後に、フック部１１３ａの先端係合部１１３ａ１とホルダ取付部５１の被係合部５２とを係合させる。本実施形態にかかる取付部材１１３においては、嵌合部１１３ｂが位置決め機能を有し、フック部１１３ａがロック機能を有する。
【００９９】
本実施形態にかかる装填部１１０は、ホルダ部１１１が、フック部と嵌合部という簡単な構成を有する取付部材１１３を備えているため、カートリッジを保持したホルダ本体１１２をホルダ取付部５１から簡単に離脱させることができる。つまり、フィルム詰まりが生じた際には、取付部材１１３をホルダ取付部５１から離脱させることによって、ホルダ部１１１ごとカートリッジを取り外すことが可能となる。したがって、このような構成によれば、ホルダ部１１１の離脱作業を簡単に且つ短時間で行うことが可能となって、フィルム詰まりの解消を容易に行うことができる。
【０１００】
また、本実施形態によれば、フィルム搬送部１３０を成す上部本体１６０の開放角度が制限されている場合、あるいは開放できない場合であっても、ホルダ部１１１を取り外すことによって、容易にフィルム詰まりを解消することができる。つまり、本実施形態によれば、上部本体１６０を開放することなく、フィルム詰まりの解消が可能であるため、作業効率を向上させることができる。
具体的には、上部本体１６０が閉じられた状態であっても、ホルダ部１１１ごとカートリッジを取り外し、フィルム搬送部１３０の搬送ローラを手動等で回転させながら、フィルム搬送部１３０内に残っているフィルムを外部に取り出しすことによって、フィルム詰まりを解消することができる。
【０１０１】
また、本実施形態においては、ホルダ取付部５１に取り付けられたホルダ部１１１を成すホルダ本体１１２が、ねじりコイルバネの付勢力により軸体１１６を揺動支点として、フィルム引出姿勢となるフィルム搬送位置から、フィルム装填姿勢となる装填可能位置に跳ね上がるように構成されている。一方、取付部材１１３は、これらのねじりコイルバネ等とは独立して機能するように構成されている。
したがって、本実施形態によれば、ホルダ本体１１２の移動位置にかかわらず、取付部材１１３の操作を行うことのみで、ホルダ本体１１２を着脱することが可能である。
【０１０２】
さらに、本実施形態においては、取付部材１１３を離脱させて、ホルダ部１１１を取り外す作業の略全てが、搬送されるフィルムの幅方向と異なる方向への移動で行うことが可能である。そして、ホルダ部１１１を取り外して、カートリッジを略水平状態に維持したままで、フィルム詰まりの解消処理を行うことができる。
したがって、本実施形態によれば、フィルムに余分なダメージ（傷、ねじれ等）を与えることなく、フィルム詰まりの解消処理を行うことができる。
【０１０３】
なお、本発明は上記実施形態に限定されるものではなく、その趣旨を逸脱しない限りにおいて、上述したもの以外に種々の変更を行うことが可能である。
【０１０４】
例えば、上記実施形態においては、リンク機構７０が主に第一リンク部７１および第二リンク部７２の二つのリンク部を用いて構成された場合について説明したが、本発明は、この構成に限定されない。したがって、移動支持部を支持位置に移動させた後に、各支点が略直線状となってロック状態を形成可能であるリンク機構であれば、三つ以上のリンク部を用いて構成してもよい。
【０１０５】
また、上記実施形態においては、減衰手段としてオイルダンパを用いる場合について説明したが、本発明はこの構成に限定されず、例えば、パウダークラッチ、摩擦板クラッチ等を用いてもよい。
【０１０６】
また、上記実施形態においては、取付部材１１３が、略水平方向にスライドするフック部１１３ａと、凹凸嵌合を行う嵌合部１１３ｂ（略垂直方向に設けられた突起部）とを用いて構成された場合について説明したが、本発明はこの構成に限定されるものではない。したがって、例えば、略垂直方向にスライドするフック部と、略水平方向に設けられた突起部等にて凹凸嵌合を行う嵌合部とを用いて取付部材を構成してもよい。
また、嵌合部１１３ｂには、突起部を有する構成について説明したが、本発明はこの構成に限定されず、ホルダ取付部側に突起部を設け、嵌合部側にその突起部を凹凸嵌合する孔部を設けてもよい。さらに、例えば、それぞれ突起部と孔部とを設け、それらの突起部と孔部とを凹凸嵌合させるように構成してもよい。
また、上記実施形態においては、二つの突起部と取付孔部とを凹凸嵌合させる場合について説明したが、本発明はこの構成に限定されず、一つあるいは三つ以上の突起部と取付孔部とを凹凸嵌合させる構成でもよい。
【０１０７】
さらに、上記実施形態においては、装填部１１０（カートリッジ装填機構）が画像読取装置に用いられる場合について説明したが、本発明はこの構成に限定されるものではなく、以上に説明した種々の効果を有する装填部は他の装置にも適用可能である。例えば、画像形成装置（プリンター）等に用いることが可能である。
【０１０８】
また、上記実施形態においては、第一巻取部２１０と第二巻取部２５０とを異なる構成にしたが、本発明はこの構成に限定されるものではなく、第二巻取部２５０を第一巻取部２１０と同様の構成にしたものであってもよい。
【０１０９】
また、上記実施形態においては、第一巻取部２１０の扉体２１３を胴部２１２に蝶着して開閉可能に構成したが、本発明はこれに限定されるものではなく、例えば、扉体２１３を胴部２１２の一端面に対してスライド可能に取り付けたものや、扉体２１３が完全に取り外せるものであってもよい。
【０１１０】
また、上記実施形態にかかる撮像装置３０は、搬送装置１０の上方に撮像体３１０が配置されるとともに、搬送装置１０の下方に光源体３２０が配置されたものであるが、撮像装置３０はこれに限定されるものではなく、例えば、撮像体３１０が搬送装置１０の下方に配置され、光源体３２０が搬送装置１０の上方に配置されたものであってもよい。
【０１１１】
また、撮像装置３０の撮像体３１０は、赤外用ラインＣＣＤ３１１ａおよび可視光用ラインＣＣＤ３１１ｂの二つを備えたものに限定されるものではなく、一つのラインＣＣＤを備えたもの、或いは、二つ以上備えたものであってもよい。したがって、光源体の光源についても、ＬＥＤに限定されるものではなく、例えば、ハロゲンランプ等を採用してもよい。ただし、ＣＣＤの特性に応じて光源をはじめとしてレンズなどの光学系を適宜選択することは勿論のことである。
【０１１２】
【発明の効果】
以上のように、本発明によれば、フィルム詰まりを容易に解消すべく、カートリッジホルダを着脱可能としたカートリッジ装填機構、およびこのカートリッジ装填機構を備えた画像読取装置を得ることができる。
【図面の簡単な説明】
【図１】本発明の実施形態にかかる画像読取装置の全体斜視図を示す。
【図２】本実施形態にかかる搬送装置の全体斜視図を示す。
【図３】本実施形態にかかる搬送装置の平面図を示す。
【図４】本実施形態にかかる搬送装置の斜視図であって、上部本体を開いた状態を示す。
【図５】図３のＶ−Ｖ断面図を示す。
【図６】本実施形態にかかる巻取ユニットの部分斜視図を示す。
【図７】本実施形態にかかる撮像装置を説明するための断面図を示す。
【図８】本実施形態にかかるホルダ部が装填姿勢となっている状態の装填部の側面図を示す。
【図９】本実施形態にかかるホルダ部がフィルム引出姿勢になる直前の装填部の斜視図を示す。
【図１０】本実施形態にかかるホルダ部がフィルム引出姿勢になる直前の装填部の斜視図を示す。
【図１１】本実施形態にかかるホルダ部がフィルム引出姿勢となっている状態の装填部の側面図を示す。
【図１２】本実施形態にかかるホルダ部がフィルム引出姿勢となっている状態の装填部の斜視図を示す。
【図１３】本実施形態にかかるホルダ部がフィルム引出姿勢となっている状態の装填部の斜視図を示す。
【図１４】本実施形態にかかるホルダ部の取り外し方法を説明するための斜視図を示す。
【図１５】本実施形態にかかるホルダ部の取り外し方法を説明するための斜視図を示す。
【図１６】本実施形態にかかるホルダ部の取り外し方法を説明するための斜視図を示す。
【図１７】カートリッジから２４０フィルムを引き出した状態の斜視図を示す。
【符号の説明】
１０…搬送装置、２０…巻取ユニット、３０…撮像装置、５１…ホルダ取付部、５２…被係合部、５３…取付孔部、６１…ストッパプレート、６１ａ…ストッパ当接部、７０…リンク機構、７１…第一リンク部、７２…第二リンク部、７３…固定支点、７４…中間移動支点、７５…移動支点、７６…付勢手段、７７…減衰リンク部、７８…解除レバー、８１…固定部、８２…オイルダンパ、１１０…装填部、１１１…ホルダ部、１１２…ホルダ本体、１１３…取付部材、１１３ａ…フック部、１１３ａ１…先端係合部、１１３ｂ…嵌合部、１１４…ベース部、１１４ａ…ベース部接合部、１１５…保持片、１１５ａ…押下部、１１６…軸体、１１７…移動支持部、１１８…電動モータ、１１９…伝達機構体、１１９Ａ…ストッパプレート収納部、１１９ａ…移動支持部側当接部、１１９ｂ…連結部、１２０…ベース、１２１…支持軸、１２２…シャッタ回転軸、１２３…第一検出ピン、１２４…出力軸、１２５…シャッタ支持軸、１２６…駆動部、１２６Ａ…ベース体、１２７…電動モータ、１２８…減速機構、１２９…スライドシャフト、１３０…フィルム搬送部、１３１…第一透過部、１３２…第二透過部、１４０…下部本体、１４１…第一下溝、１４２…凹部、１４３…駆動ローラ、１４４…第一下透過部、１４５…ヘッド用ローラ、１４６…ブラシ、１５０…第二下溝、１６０…上部本体、１６１…第一上溝、１６２…凹部、１６３…従動ローラ、１６４…第一上透過部、１６５…磁気ヘッド、２１０…第一巻取部、２１１…閉塞板、２１２…胴部、２１３…扉体、２１４ａ…第一分割胴、２１４ｂ…第二分割胴、２１５ａ，２１５ｂ…円弧面、２１６ａ，２１６ｂ…起立面、２１７…溝、２１８ａ，２１８ｂ…挿入口形成溝、２１９…第一挿入口、２２０…載置部、２２１…規制爪、２２２…係止用凹部、２２３…係止爪、２２４…位置決用凸部、２５０…第二巻取部、２８０…フレーム部、３１０…撮像体、３１１ａ…撮像素子（赤外用ラインＣＣＤ）、３１１ｂ…撮像素子（可視光用ラインＣＣＤ）、３１２…ダイクロイックミラー、３１３…レンズ、３２０…光源体、３２１Ｒ…赤外赤色発光素子（赤色ＬＥＤ）、３２１Ｇ…緑色発光素子（緑色ＬＥＤ）、３２１Ｂ…青色発光素子（青色ＬＥＤ）、３２２…ダイクロイックミラー、３２３…レンズ、３３０…連結フレーム、、４００…カートリッジ、４０１…スプール軸、４０２…フィルム、４０２ａ…画像領域、４０２ｂ…磁気記録部、４０２ｃ…パーフォレーション、４０３…シャッタ部、４０４…シャッタ開閉部、４０５…フィルム引き出し部、４０６…フィルム状態検知部
Ｒ１…第一レーン、Ｒ２…第二レーン
【図１】
2004264490.tif 000003
【図２】
2004264490.tif 000004
【図３】
2004264490.tif 000005
【図４】
2004264490.tif 000006
【図５】
2004264490.tif 000007
【図６】
2004264490.tif 000008
【図７】
2004264490.tif 000009
【図８】
2004264490.tif 000010
【図９】
2004264490.tif 000011
【図１０】
2004264490.tif 000012
【図１１】
2004264490.tif 000013
【図１２】
2004264490.tif 000014
【図１３】
2004264490.tif 000015
【図１４】
2004264490.tif 000016
【図１５】
2004264490.tif 000017
【図１６】
2004264490.tif 000018
【図１７】
2004264490.tif 000019